(57)【要約】【課題】  コンストラクション（コンス）機能を備えたシリンダー錠において、コンス機能解除後にダミー鍵が外部に排出されないシリンダー錠を提供する。【解決手段】  第１シリンダー錠および第２シリンダー錠を直列配置したシリンダー錠であり、前記第１シリンダー錠の内筒と係合する第１連結部材と、前記第１連結部材に摺動可能に保持されるダミー鍵と、前記第２シリンダー錠の内筒と係合する第２連結部材と、両連結部材の一方と少なくとも係合可能なカムとを有し、前記コンス機能中は前記ダミー鍵が前記第１シリンダー錠の一部を解錠位置に保持し、前記第１シリンダー錠に第１の鍵が挿入された場合には前記第１シリンダー錠の内筒の回転が前記カムに伝達可能であり、第２の鍵で前記コンス機能解除後は前記ダミー鍵が前記第１連結部材の内部に格納され、前記第１シリンダー錠および前記第２シリンダー錠のそれぞれの内筒の回転が前記カムに伝達可能となる。【選択図】図８
2014227654.tif 000002
【特許請求の範囲】
【請求項１】
第１の端部にそれぞれ鍵穴が露出する第１のシリンダー錠および第２のシリンダー錠の、それぞれの第２の端部同志を対向配置してなり、第１の鍵が有効なコンストラクション機能の作動状態から、前記第１の鍵が無効となる前記コンストラクション機能の解除状態に切り替え可能なコンストラクション機能を備えたシリンダー錠であって、
該シリンダー錠は、
前記第１のシリンダー錠の前記第２の端部に設けられて前記第１のシリンダー錠の内筒と係合する第１の連結部材と、
前記第１のシリンダー錠の長軸方向に沿って摺動可能に前記第１の連結部材に保持されるダミー鍵と、
前記第２のシリンダー錠の前記第２の端部に設けられて前記第２のシリンダー錠の内筒と係合するとともに前記第１の連結部材と当接する第２の連結部材と、
前記第１の連結部材および前記第２の連結部材に跨る位置に設けられ、該第1の連結部材および前記第２の連結部材が前記長軸方向に沿って摺動することによってこれらの一方と少なくとも係合可能なカムと、を有し、
前記コンストラクション機能の作動中では、前記ダミー鍵が前記第１のシリンダー錠のタンブラーの一部を解錠位置に保持した状態で前記第１の連結部材に保持されるとともに、前記第１のシリンダー錠に前記第１の鍵が挿入された場合には前記第１のシリンダー錠の内筒の回転が前記ダミー鍵と前記第１の連結部材とを介して、前記カムに伝達可能であり、
前記コンストラクション機能の作動中に第２の鍵が挿入されると、前記ダミー鍵が摺動して前記第１の連結部材の内部に格納された状態で前記第１の連結部材に固定されて前記コンストラクション機能が解除され、
前記第１のシリンダー錠では前記第１のシリンダー錠の内筒の回転が前記第１の連結部材を介して前記カムに伝達可能となり、
前記第２のシリンダー錠では前記第２のシリンダー錠の内筒の回転が前記第２の連結部材を介して前記カムに伝達可能となる、
ことを特徴とするシリンダー錠。
【請求項２】
前記ダミー鍵は、前記長軸方向に沿う第１の位置と第２の位置において前記第１の連結部材に固定可能であり、
前記コンストラクション機能の作動中は、前記ダミー鍵が前記第１の位置で固定され、
前記第２の鍵の挿入によって前記第１の連結部材の内部に前記ダミー鍵が格納されて前記第２の位置で固定される、
ことを特徴とする請求項１に記載のシリンダー錠。
【請求項３】
前記コンストラクション機能の解除後は、前記第１の連結部材内の前記ダミー鍵の格納が維持される、
ことを特徴とする請求項１または請求項２のいずれかに記載のシリンダー錠。
【請求項４】
前記第２のシリンダー錠は、前記長軸方向に沿って摺動可能に前記第２の連結部材に保持される他のダミー鍵を有し、
前記コンストラクション機能の作動中では、前記他のダミー鍵が前記第２のシリンダー錠のタンブラーの一部を解錠位置に保持した状態で前記第２の連結部材に保持されるとともに、前記第２のシリンダー錠に前記第１の鍵が挿入された場合には前記第２のシリンダー錠の内筒の回転が前記他のダミー鍵と前記第２の連結部材とを介して、前記カムに伝達可能であり、
前記コンストラクション機能の作動中に前記第２のシリンダー錠に前記第２の鍵が挿入されると、前記他のダミー鍵が摺動して前記第２の連結部材の内部に格納された状態で前記第２の連結部材に固定されて前記コンストラクション機能が解除される、
ことを特徴とする、請求項１から請求項３のいずれかに記載のシリンダー錠。
【請求項５】
前記他のダミー鍵は、前記長軸方向に沿う第１の位置と第２の位置において前記第２の連結部材に固定可能であり、
前記コンストラクション機能の作動中は、前記他のダミー鍵が前記第１の位置で固定され、
前記第２の鍵の挿入によって前記第２の連結部材の内部に前記他のダミー鍵が格納されて前記第２の位置で固定される、
ことを特徴とする請求項４に記載のシリンダー錠。
【請求項６】
前記コンストラクション機能の解除後は、前記第２の連結部材内の前記他のダミー鍵の格納が維持される、
ことを特徴とする請求項４または請求項５に記載のシリンダー錠。
【発明の詳細な説明】
【技術分野】
【０００１】
本発明は、コンストラクション機能作動時に使用していたダミーキーがコンストラクション機能の解除後に外部に排出されることが無いシリンダー錠に関する。
【背景技術】
【０００２】
従来より、コンストラクション機能付きシリンダー錠が知られている。コンストラクション機能とは、工事中はコンストラクションキー（工事専用鍵）という特殊な鍵で各住戸の錠前の施解錠を行い、工事完了後に、コンストラクションキーは使用不能となり、以後施主又は入居者が使う住戸鍵（子鍵）だけが使えるようになる機能であり、工事中における施工者の錠前施解錠作業及び鍵管理業務の合理化を図り、更に施主又は入居者のより一層の安全を確保することができる。尚、ここで子鍵とは、一の錠前を解錠するための正規の鍵形状を有する鍵をいうものとする。
【０００３】
このようなコンストラクション機能の一例として、ディスクタンブラー錠の内筒の内奥部に何枚かのディスクをばねの付勢力に抗して解錠位置に受け止め保持するダミーキー（セットキー）を充填する技術が開示されている。この場合、工事完了後はダミーキーより長い子鍵（ユーザーキー）を内筒の鍵穴に差し込むと、ダミーキーが子鍵に押されて鍵穴の奥端に設けた開口から排出され、ユーザーキーの使用が可能となるものである。（例えば、特許文献１参照）。
【先行技術文献】
【特許文献】
【０００４】
【特許文献１】特許第３２１９５８１号公報
【発明の概要】
【発明が解決しようとする課題】
【０００５】
しかしながら、上記のように内筒に予めダミーキーを充填しておくコンストラクション機能では、子鍵の先端の一部分をダミーキーとし、残りの部分をコンストラクションキーとして用いる場合が多い。
【０００６】
従って、工事完了後にコンストラクション機能を解除した場合に、ダミーキーが外部に排出されてしまう構造では、当該ダミーキーと工事中に使用していたコンストラクションキーによって、子鍵の形状が容易に推測可能となり、防犯性の面で十分でない問題があった。
【０００７】
また、室外側と室内側とにシリンダー錠を備える錠の場合には、ダミーキーを外部に排出させてコンストラクション機能を解錠する構造を採用することができない問題もあった。
【０００８】
本発明は、このような従来の問題点を解決するためになされたものであって、コンストラクション機能を解除した場合であってもダミーキーが外部に排出されることが無いシリンダー錠を提供することを目的とする。
【課題を解決するための手段】
【０００９】
本発明に係るシリンダー錠は、第１の端部にそれぞれ鍵穴が露出する第１のシリンダー錠および第２のシリンダー錠の、それぞれの第２の端部同志を対向配置してなり、第１の鍵が有効なコンストラクション機能の作動状態から、前記第１の鍵が無効となる前記コンストラクション機能の解除状態に切り替え可能なコンストラクション機能を備えたシリンダー錠であって、該シリンダー錠は、前記第１のシリンダー錠の前記第２の端部に設けられて前記第１のシリンダー錠の内筒と係合する第１の連結部材と、前記第１のシリンダー錠の長軸方向に沿って摺動可能に前記第１の連結部材に保持されるダミー鍵と、前記第２のシリンダー錠の前記第２の端部に設けられて前記第２のシリンダー錠の内筒と係合するとともに前記第１の連結部材と当接する第２の連結部材と、前記第１の連結部材および前記第２の連結部材に跨る位置に設けられ、該第1の連結部材および前記第２の連結部材が前記長軸方向に沿って摺動することによってこれらの一方と少なくとも係合可能なカムと、を有し、前記コンストラクション機能の作動中では、前記ダミー鍵が前記第１のシリンダー錠のタンブラーの一部を解錠位置に保持した状態で前記第１の連結部材に保持されるとともに、前記第１のシリンダー錠に前記第１の鍵が挿入された場合には前記第１のシリンダー錠の内筒の回転が前記ダミー鍵と前記第１の連結部材とを介して、前記カムに伝達可能であり、前記コンストラクション機能の作動中に第２の鍵が挿入されると、前記ダミー鍵が摺動して前記第１の連結部材の内部に格納された状態で前記第１の連結部材に固定されて前記コンストラクション機能が解除され、前記第１のシリンダー錠では前記第１のシリンダー錠の内筒の回転が前記第１の連結部材を介して前記カムに伝達可能となり、前記第２のシリンダー錠では前記第２のシリンダー錠の内筒の回転が前記第２の連結部材を介して前記カムに伝達可能となる、ことを特徴とするシリンダー錠である。
【発明の効果】
【００１０】
本発明に係るシリンダー錠によれば、コンストラクション機能を解除した場合であってもダミーキーが外部に排出されることが無いシリンダー錠を提供することができる。
【００１１】
また、ダミーキーの外部への排出が不要となるので、室外側と室内側とにシリンダー錠を備える錠（２つのシリンダー錠の内奥同志を対向配置した錠）の場合にも、コンストラクション機能を備えることが可能となる。
【００１２】
また、ダミーキーとコンスキーを組み合わせることによる子鍵の形状の推測を回避でき、防犯性を高めることができる。
【００１３】
また、ダミーキーは、第１連結部材および第２連結部材の内部に格納されてこれらの軸としても機能するため、これらの移動の際のブレ（がたつき）を防止することも可能となる。
【図面の簡単な説明】
【００１４】
【図１】本発明の第１実施形態に係るシリンダー錠１０を前方上側から見た外観斜視図である。
【図２】第１実施形態に係るシリンダー錠１０の一部を分解して示す分解斜視図である。
【図３】第１実施形態に係るシリンダー錠１０の主要な部品を抜き出して示す外観斜視図である。
【図４】第１実施形態に係るシリンダー錠１０の断面図である。
【図５】第１実施形態に係るシリンダー錠１０に用いる（ａ）コンスキーの上面図、（ｂ）子鍵の上面図、（ｃ）コンスキーの使用状態を説明する断面図である。
【図６】第１実施形態に係るシリンダー錠１０のコンス機能の作動中の状態（待機状態）を示す断面図である。
【図７】第１実施形態に係るシリンダー錠１０のコンス機能の作動中の状態（コンスキー使用状態）を示す断面図である。
【図８】第１実施形態に係るシリンダー錠１０のコンス機能の解除状態を示す断面図である。
【図９】第１実施形態に係るシリンダー錠１０の子鍵の使用状態を示す断面図である。
【図１０】本発明の第２実施形態に係るシリンダー錠５０を示す図であり、（ａ）前方上側から見た外観斜視図、（ｂ）前方上側から見た外観斜視図、（ｃ）連結部材の外観斜視図である。
【図１１】第２実施形態に係るシリンダー錠５０の一部を分解して示す分解斜視図である。
【図１２】第２実施形態に係るシリンダー錠５０のコンス機能の作動中の状態（待機状態）を示す断面図である。
【図１３】第２実施形態に係るシリンダー錠５０のコンス機能の作動中の状態（コンスキー使用状態）を示す断面図である。
【図１４】第２実施形態に係るシリンダー錠５０のコンス機能の解除状態を示す断面図である。
【図１５】第２実施形態に係るシリンダー錠５０のコンス機能の解除状態を示す断面図である。
【発明を実施するための形態】
【００１５】
以下、図面を用いて、本実施形態に係るシリンダー錠１０について詳細に説明する。まず、図１から図９を参照して、第１実施形態について説明する。
【００１６】
［第１実施形態］
＜全体構成＞
最初に、図１および図２を用いて、第１実施形態のシリンダー錠１０の全体構成について説明する。なお、図１は、シリンダー錠１０を前方上側から見た外観斜視図であり、図１（ａ）が全体図であり、図１（ｂ）が要部を抽出した拡大図である。図２は、シリンダー錠１０の一部を分解して示す分解斜視図である。なお、以降の説明で用いる図面においては、説明の都合上、構成部材の図示を一部省略することがある。
【００１７】
本実施形態に係るシリンダー錠１０は、コンストラクション機能の作動状態から、コンストラクション機能の解除状態に切り替え可能なコンストラクション機能を備えたシリンダー錠１０である。コンストラクション機能とは、コンストラクションキーの有効と無効とを切り替え可能な機能であり、当該機能の作動中はコンストラクションキーが有効となり、当該機能が解除後はコンストラクションキーが無効になる。
【００１８】
また本実施形態に係るシリンダー錠１０は、２つのシリンダー錠（第１シリンダー錠１０Ａ、第２シリンダー錠１０Ｂ）をその長軸方向（図１におけるＸ方向）に直列に配列したものである。具体的には、第１シリンダー錠１０Ａは、長軸方向の第１の端部Ｔ１の鍵穴２０が例えば室外側に露出し、第２シリンダー錠１０Ｂは長軸方向の第１の端部Ｔ１の鍵穴２２部分が例えば室内側に露出するように、互いの第２の端部Ｔ２（内奥端部）を対向させて配置される。
【００１９】
図１および図２に示すように、第１シリンダー錠１０Ａは、外筒１０２と、外筒１０２に対して相対回転可能な内筒１０４と、複数配列されるピンタンブラ１０６およびドライバピン１０８と、第２の端部Ｔ２側に配置される複数（例えば２枚）のディスクタンブラ１１０を有する。つまり、第１シリンダー錠１０Ａは、ピンタンブラ方式とディスクタンブラ方式を組み合わせたものである。ピンタンブラ方式とディスクタンブラ方式のそれぞれの原理は既知のものと同様であるので詳細は省略するが、以下簡単に説明する。
【００２０】
内筒１０４と外筒１０２はこれらの径方向に連続する孔１３２（図２参照）が複数形成されている。そして、各孔１３２には、径方向の内側から外側の順に、ピンタンブラ１０６、ドライバピン１０８、圧縮されているコイルスプリング（不図示）が嵌め込まれている。ピンタンブラ１０６とドライバピン１０８は、コイルスプリングの復元力によって、径方向の内側に常時押されている。また、ピンタンブラ１０６とドライバピン１０８は、鍵穴２０に鍵が挿入された場合、その鍵によって、径方向の外側に押し返される。
【００２１】
鍵穴２０に鍵が挿入されていない場合、径方向の内側に押されているドライバピン１０８が、内筒１０４から外筒１０２にわたって位置し、内筒１０４が回動することの障害になる。なお、この場合、ピンタンブラ１０６は、内筒１０４内に収まっている。
【００２２】
そして、鍵穴２０に適合する正しい鍵が挿入されることで、その鍵によって、内筒１０４が回動することの障害となっていたドライバピン１０８が、ピンタンブラ１０６と共に径方向の外側に押し返される。これにより、ドライバピン１０８は、外筒１０２内に収まる。また、ピンタンブラ１０６は、内筒１０４内に収まったままになる。すなわち、ドライバピン１０８とピンタンブラ１０６の境界（シャーライン）が、外筒１０２と内筒１０４の境界と一致する。これにより、内筒１０４は外筒１０２に対して回転可能となる。内筒１０４を回転させることで、扉（図示省略）を解錠し又は施錠することができる。
【００２３】
一方、鍵穴２０に不正な鍵が挿入されることで、その鍵によって、ピンタンブラ１０６とドライバピン１０８が、間違った量だけ径方向の外側に押し返される。押し返す量が少ない箇所については、ドライバピン１０８が内筒１０４から外筒１０２にわたって位置したままで、内筒１０４が回動することの障害になる。また、押し返す量が多い箇所については、ピンタンブラ１０６が内筒１０４から外筒１０２にわたって位置することになり、内筒１０４が回動することの障害になる。これにより内筒１０４は回転せず、シリンダー錠１０が設けられた扉（図示省略）等を解錠し又は施錠することができない。
【００２４】
ディスクタンブラ１１０は、不図示の付勢手段（ばね）で内筒１０４および外筒１０２の半径方向外側に向かって付勢されており、鍵穴２０に鍵が挿入されていない場合または不正な鍵が挿入された場合は、その端部が外筒１０２の内面に形成された不図示の溝（ロック溝）と係合している。このため、内筒１０４は外筒１０２に対して回転しない。一方、鍵穴２０に正しい鍵を挿入した場合は、鍵の形状によってディスクタンブラ１１０が適正な量だけスライドし、ディスクタンブラ１１０とロック溝との係合がはずれるため、内筒１０４は外筒１０２に対して回転可能となる。
【００２５】
本実施形態の第１シリンダー錠１０Ａは、ピンタンブラ１０６が例えば上下方向（図１におけるＹ方向）に移動するのに対し、ディスクタンブラ１１０は、それに直交する左右方向（図１におけるＺ方向）に移動する。また、２つのディスクタンブラ１１０の付勢手段による付勢方向は互いに逆向きとなっており、一方のディスクタンブラ１１０が右方向に付勢され、他方のディスクタンブラ１１０が左方向に付勢されている。
【００２６】
このようにタンブラの移動方向が異なるピンタンブラ方式とディスクタンブラ方式を併用した構造とすることにより、ピッキングを困難にすることができる。またキーの溝も、キーの表面（ピンタンブラ用）と側面（ディスクタンブラ用）に形成する必要があるため、単一の装置では形成できず、キーの複製を困難にすることができる。
【００２７】
第２シリンダー錠１０Ｂは、外筒１２２と、外筒１２２に対して相対回転可能な内筒１２４と、複数配列されるピンタンブラ１２６と、ドライバピン１２８と、第２の端部Ｔ２側に配置される複数（例えば２枚）のディスクタンブラ１３０を有しており、これらの構成および動作は、第１シリンダー錠１０Ａと同様であるので説明は省略する。
【００２８】
更に、本実施形態の第１シリンダー錠１０Ａは、その第２の端部Ｔ２に、内筒１０４と係合する第１連結部材２４が設けられる。第１連結部材２４は、その内側に、第１シリンダー錠１０Ａの長軸方向に沿って摺動可能となるようにダミーキー３２（図１（ｂ）、図２参照）を保持する。
【００２９】
また第２シリンダー錠１０Ｂは、その第２の端部Ｔ２に、内筒１２４と係合する第２連結部材２８が設けられる。第２連結部材２８は、第１シリンダー錠１０Ａの第１連結部材２４と常時当接している。
【００３０】
そして、第１連結部材２４および第２連結部材２８の当接面に跨る位置にカム３０（図２参照）が設けられている。後述するが、第１連結部材２４および第２連結部材２８は、シリンダー錠１０の長軸方向（Ｘ方向）に沿って摺動が可能であり、カム３０は、第１連結部材２４および第２連結部材２８が摺動することによって、これらの一方と少なくとも係合可能である。
【００３１】
図３を参照して、シリンダー錠１０の主要な構成について説明する。図３は、シリンダー錠１０の主要な構成部品を抽出して示す外観斜視図であり、図３（ａ）がディスクタンブラ１１０、１３０、図３（ｂ）が内筒１０４、１２４、図３（ｃ）が第１連結部材２４、図３（ｄ）がダミーキー３２、図３（ｅ）が第２連結部材２８、図３（ｆ）がカム３０の外観斜視図である。
【００３２】
図３（ａ）に示すように、ディスクタンブラ１１０、１３０は略矩形状の板状体であり、外周部に内筒のロック溝と係合可能な係合部１１０ａ、１３０ａが設けられている。また係合部１１０ａ、１３０ａはスプリングコイル（不図示）によって一方向に付勢されており、それによりロック溝と係合する。ディスクタンブラ１１０、１３０のほぼ中央部には鍵の挿通孔１１０ｂ、１３０ｂが設けられており、その一部には突起部１１０ｃ、１３０ｃが設けられている。突起部１１０ｃ、１３０ｃと鍵の形状が合致した場合は、ディスクタンブラ１１０、１３０が所定量スライドし、係合部１１０ａ、１３０ａとロック溝の係合が解除される。なお、ここでは１つの形状を用いて説明しているが、複数のディスクタンブラ１１０、１３０において係合部１１０ａ、１３０ａおよび突起部１１０ｃ、１３０ｃの形状はそれぞれ異なっている。また本実施形態ではそれぞれ２枚のディスクタンブラ１１０、１３０を採用しているが、３枚以上配置されるものであってもよい。
【００３３】
図３（ｂ）に示すように、内筒１０４、１２４は同様の構成であり、その内部に長軸方向に延在する鍵穴２０、２２が設けられ、外周面にはピンタンブラ１０６、１２６やドライバピン１０８、１２８が挿通される複数の孔１３２が、図示の状態において略上下方向に延在するように設けられる。また外周面にはディスクタンブラ１１０、１３０が図示の状態において略左右方向にスライド移動可能となるロック溝１３４が設けられている。
【００３４】
そして鍵が挿入される第１の端部Ｔ１とは逆側の第２の端部Ｔ２（内奥端部側）に、係合穴１０４ａ、１２４ａが設けられている。第１シリンダー錠１０Ａの内筒１０４の係合穴１０４ａは第１連結部材２４と係合し、第２シリンダー錠１０Ｂの内筒１２４の係合穴１２４ａは第２連結部材２８と係合する。また、内筒１０４、１２４の第２の端部Ｔ２側は、鍔状部１０４ｃ、１２４ｃとなっている。鍔状部１０４ｃ、１２４ｃは、カム３０の一部に内包される。
【００３５】
図３（ｃ）に示すように、第１連結部材２４は短円柱形状の本体２４ａと、本体２４ａの外周面から半径方向の外側に向かって突出する２つの係合凸部２４ｂを有する。また本体２４ａのほぼ中央部にはダミーキー保持部３４が形成されている。ダミーキー保持部３４は、後述するダミーキー３２の外形に沿った形状となっており、ここにダミーキー３２を摺動可能に保持する。第１連結部材２４は、２つの係合凸部２４ｂが内筒１０４の係合穴１０４ａの係合凹部１０４ｂと噛み合って、内筒１０４と係合する。そして第１連結部材２４は、内筒１０４に対してその長軸方向に沿う移動（摺動）が可能となっており、且つ、内筒１０４がその回転軸を中心に回転する場合はこれと一体的に回転する。
【００３６】
図３（ｄ）に示すように、ダミーキー３２は、第１シリンダー錠１０Ａのディスクタンブラ１１０を解錠位置に保持可能なキーの形状を表面に備えた略矩形状の板状片であり、その長手方向が第１シリンダー錠１０Ａの長軸方向に沿うように第１連結部材２４のダミーキー保持部３４に挿通され、保持される。ダミーキー３２は長手方向に円形状の第１固定孔３２１と第２固定孔３２２を有している。第１固定孔３２１は第２固定孔３２２よりその直径が小さく、ダミーキー３２の厚み方向の深さも浅くなっている。第１固定孔３２１と第２固定孔３２２には、固定ピン（ここでは不図示）が係合する。固定ピンは、その先端を曲面球状にした円柱形状であり、第１連結部材２４の内部を図示の状態では上下方向に貫通して設けられ、一端が第１連結部材２４に固定されるとともに付勢手段（スプリングコイルなど）によって第１連結部材２４の中心方向に向かって付勢され、他端（先端）は曲面状となっている。また、第１固定孔３２１は固定ピンの先端部分（曲面状部分）と合致する大きさであり、第２固定孔３２２は固定ピンの本体部分（円柱部分）と合致する大きさである。つまり、ダミーキー３２を、第１連結部材２４のダミーキー保持部３４に挿通した場合、第１固定孔３２１に固定ピンの先端（曲面状部分）が係合することで、ダミーキー３２を第１の位置で保持固定することができる。また、第１連結部材２４に対してダミーキー３２を摺動させて第２固定孔３２２に固定ピンの円柱部分が係合することで、ダミーキー３２を第２の位置で保持固定することができる。このように、第１連結部材２４のダミーキー保持部３４に挿通されたダミーキー３２は、固定ピンが第１固定孔３２１、第２固定孔３２２のいずれとも係合していない場合は、第１連結部材２４に対して摺動可能であるが、第１固定孔３２１に固定ピンが係合した場合は、第１連結部材２４に対して第１の位置で固定されて第１連結部材２４とともに内筒１０４に対して摺動可能となり、第２固定孔３２２に固定ピンが係合した場合は、第１連結部材２４に対して第２の位置で固定されて第１連結部材２４とともに内筒１０４に対して摺動可能となる。
【００３７】
図３（ｅ）に示すように、第２連結部材２８は短円筒形状の本体２８ａと、本体２８ａの外周面から半径方向の外側に向かって突出する２つの係合凸部２８ｂを有する。第２連結部材２８は、同図の左方（空洞部分）が第１連結部材２４と対向して配置され、２つの係合凸部２８ｂが内筒１２４の係合穴１２４ａの係合凹部１２４ｂと噛み合って、内筒１２４と係合する。そして第２連結部材２８は、内筒１２４に対してその長軸方向に沿う移動（摺動）が可能となっており、且つ、内筒１２４がその回転軸を中心に回転する場合はこれと一体的に回転する。
【００３８】
図３（ｆ）に示すように、カム３０は、略環状の連結部材係合部３０ａと、その外周部分の一部を半径方向の外側に突出させた閂（不図示）の駆動部３０ｂとからなり、シリンダー錠１０の内筒の回転を閂に伝達して閂を移動させ、それによりシリンダー錠１０が設けられた扉体等の施解錠を行う。すなわち、連結部材係合部３０ａの第１内周面３０ｃは、第１連結部材２４および第２連結部材２８の外周面に沿う形状を有しており、両者と係合可能となっている。そして第１連結部材２４と第２連結部材２８は当接した状態で、カム３０に対して、シリンダー錠１０の長軸方向に摺動可能となっている。つまりカム３０は、第１連結部材２４と第２連結部材２８の摺動によって、第１連結部材２４のみと係合可能となり、第２連結部材２８とも係合可能となる。そして、カム３０が第１連結部材２４と係合した場合は、第１シリンダー錠１０Ａの内筒１０４の回転に応じて回転し、カム３０が第２連結部材２８と係合した場合は、第２シリンダー錠１０Ｂの内筒１２４の回転に応じて回転する。また、連結部材係合部３０ａの第２内周面３０ｄは、内筒１０４、１２４のそれぞれの鍔状部１０４ｃ、１２４ｃを内包する。
【００３９】
図４を参照して本実施形態の主要部分の構成について説明する。図４は、カム３０と、内筒１０４、１２４と、第１連結部材２４、第２連結部材２８との係合関係を示す図であり、図１に示すシリンダー錠１０のＸ方向およびＹ方向の中心を通るＸＹ面の断面図である。
【００４０】
第１シリンダー錠１０Ａと第２シリンダー錠１０Ｂは互いの第２の端部Ｔ２（内奥部）同志を対向させて直列に配置され、それぞれの内筒１０４、１２４の鍔状部１０４ｃ、１２４ｃは、カム３０の両面の第２内周面３０ｄに内包されるが、互いに固定はされていない。つまりシリンダー錠１０の長軸方向（Ｘ方向）においてはそれぞれの内筒１０４、１２４とカム３０の位置は固定されている（移動しない）が、Ｘ方向に平行なシリンダー錠１０の回転軸を中心とした回転は、それぞれに自在となっている。
【００４１】
また、内筒１０４は第１連結部材２４と係合し、内筒１２４は第２連結部材２８と係合して、第１連結部材２４と第２連結部材２８は対向面が当接している（同図では、説明の便宜上、第１連結部材２４と第２連結部材２８の外周を破線で示した）。ここで、第１シリンダー錠１０Ａの内筒１０４と、第２シリンダー錠１０Ｂの内筒１２４は、これらの間で、第１連結部材２４と第２連結部材２８とが一体的に長軸方向に所定の距離の摺動が可能となるように離間して固定されている。つまり、内筒１０４、１２４は長軸方向において移動はしないが、第１連結部材２４は内筒１０４との係合を維持し、第２連結部材２８は内筒１２４との係合を維持した状態で、第１連結部材２４と第２連結部材２８は、係合穴１０４ａ、１２４ａにより形成された、太実線で示す空間Ｓ内を、一体的に移動可能となっており、これにより、第１連結部材２４と第２連結部材２８の当接面（境界面Ｂ）は、内筒１０４、１２４に対して長軸方向の移動が可能となっている。なお、第１連結部材２４と第２連結部材２８は、付勢手段３８（例えば、スプリングコイルなど）によって長軸方向の一方側に付勢されており、この付勢力によって、またこの付勢力に抗する力によって移動が可能となる（これについては後に詳述する）。
【００４２】
また、カム３０は、第１シリンダー錠１０Ａと第２シリンダー錠１０Ｂのそれぞれの第２の端部Ｔ２に配置される。そして、第２内周面３０ｄに、内筒１０４、１２４のそれぞれの鍔状部１０４ｃ、１２４ｃを内包することで内筒１０４、１２４に対して長軸方向の移動が無いように固定されている。つまり、第１連結部材２４と第２連結部材２８は、それぞれ内筒１０４、１２４との係合を維持した状態で、カム３０の連結部材係合部３０ａに対して、長軸方向の移動が可能となっている。
【００４３】
これにより、第１連結部材２４と第２連結部材２８（の境界面Ｂ）がカム３０と内筒１０４、１２４に対して移動し、第１連結部材２４がカム３０と係合した場合には、内筒１０４の回転が第１連結部材２４を介してカム３０に伝達可能となり、第２連結部材２８がカム３０と係合した場合には、内筒１２４の回転が第２連結部材２８を介してカム３０に伝達可能となる。
【００４４】
以下、図５から図９を参照して、本実施形態のシリンダー錠１０の動作について説明する。
【００４５】
＜使用するキー＞
図５を参照して、シリンダー錠１０で使用するキーについて説明する。図５（ａ）がコンストラクションキー（以下、コンスキーという）を示す上面図であり、図５（ｂ）が子鍵を示す上面図であり、図５（ｃ）は、第１シリンダー錠１０Ａにコンスキー４０を挿入した状態の断面概要図である。
【００４６】
コンスキー４０は、建設物の工事中においてコンストラクション機能（以下、コンス機能という）が作動している場合に、シリンダー錠１０を施解錠するキーであり、子鍵は、工事完了後にコンス機能を解除する場合に使用するキーであって、コンス機能を解除後には住戸鍵としてシリンダー錠１０を施解錠するキーである。
【００４７】
図５（ａ）（ｂ）に示すようにコンスキー４０は子鍵４２の先端から長さＬ１分が切除された形状であり、子鍵４２よりキーの長さが短く、それ以外のキーの溝形状は、子鍵４２と同じ形状を有している。この所定長さＬ１は、同図（ｃ）に示すように、２枚のディスクタンブラ１１０の配置領域のシリンダー錠１０の長軸方向の長さＬ１１と、第１連結部材２４および第２連結部材２８の、空間部Ｓ内の移動可能距離の長さＬ１２の和に等しい。つまり、第１シリンダー錠１０Ａにコンスキー４０を挿入した場合、その先端はＰ１の位置にあり、子鍵４２を挿入した場合には、その先端はＰ２の位置にある。また、ダミーキー３２の第１シリンダー錠１０Ａ側の端部から第１固定孔３２１までの長さは、コンスキー４０と子鍵４２の長さの差（Ｌ１）と等しい。
【００４８】
＜コンストラクション機能（コンス機能）の作動状態＞
≪施錠状態（待機状態）≫
図６は、コンス機能の作動中で且つ施錠状態の、シリンダー錠１０の要部を示す図であり、図６（ａ）が図４の断面図の一部を拡大した概要図である。また、図６（ｂ）は図６（ａ）のＡ−Ａ線断面における断面概要図である。ここでは、図６の左側を室外側とし、図６の右側を室内側としている。
【００４９】
コンス機能の作動中では、ダミーキー３２が第１シリンダー錠１０Ａのディスクタンブラ１１０を解錠位置に保持した状態で、第１連結部材２４に保持される。つまり、この状態にある場合をコンス機能の作動状態、という。
【００５０】
より詳細には、コンス機能作動中のダミーキー３２は、第１連結部材２４に保持されるとともに固定ピン３６によって第１連結部材２４と固定される。この場合、ダミーキー３２は、第１固定孔３２１に固定ピン３６の曲面部分が浅く嵌合することで、シリンダー錠１０の長軸方向（Ｘ方向）に沿う第１の位置Ｆ１において第１連結部材２４と固定されている。
【００５１】
第２シリンダー錠１０Ｂの内筒１２４と係合する第２連結部材２８は、同図（ａ）に示すように、付勢手段（例えばスプリングコイルなど）３８によって、第１連結部材２４側に付勢されている。既述の如く、第１連結部材２４および第２連結部材２８は一体的に、第１シリンダー錠１０Ａの内筒１０４の係合穴１０４ａ、第２シリンダー錠１０Ｂの内筒１２４の１２４ａと、カム３０の第１内周面３０ｃとで区画される空間Ｓ（ここでは太破線で示す）内を、シリンダー錠１０の長軸方向に摺動可能である。つまり、この空間Ｓの長軸方向の長さは、第１連結部材２４と第２連結部材２８の長軸方向の長さより大きくなっており、その差が第１連結部材２４と第２連結部材２８の最大移動量となる。そして、第１連結部材２４と第２連結部材２８の移動量によって、カム３０は常に、第１連結部材２４と第２連結部材２８の一方と少なくとも係合可能となっている。
【００５２】
そして、第１連結部材２４と第２連結部材２８は摺動可能であるので、コンス機能作動中の施錠状態（つまりコンスキー４０の挿入を待機している状態）など、いずれかのキーの挿入を待機している状態では、第１連結部材２４と第２連結部材２８（これらの境界線Ｂ）を、キーの先端と接触が可能となる位置（待機位置）に位置合わせしておく必要がある。このため、常時、第２連結部材２８を付勢手段３８で、例えば第１連結部材２４側に付勢し、境界線Ｂを第１連結部材２４側に移動させている。これにより、コンス機能が作動中の施錠状態では、常に、第２連結部材２８がカム３０と係合した状態となっている。また、この状態に限らず、子鍵４２の挿入を待機している状態においても、に、第２連結部材２８がカム３０と係合した状態となっている。
【００５３】
≪コンスキーによる施解錠≫
次に図７を参照して、コンス機能の作動中における、コンスキー４０による施解錠の動作を説明する。図７（ａ）は、コンスキー４０を鍵穴２０に挿入した第１の状態を示す、図６（ａ）に相当する断面図であり、図７（ｂ）は、コンスキー４０を鍵穴に挿入した第２の状態を示す、図６（ａ）に相当する断面図であり、図７（ｃ）は、図７（ｂ）の状態における、図６（ｂ）に相当する断面図である。
【００５４】
第１シリンダー錠１０Ａにコンスキー４０が挿入された場合には、第１シリンダー錠１０Ａの内筒１０４の回転がダミーキー３２と第１連結部材２４とを介して、カム３０に伝達可能となる。
【００５５】
まず、図６（ａ）に示すように、コンスキー４０を鍵穴２０に挿入した第１の状態では、コンスキー４０の先端が、ダミーキー３２の一端と当接する。コンスキー４０の溝形状によって、第１シリンダー錠１０Ａのピンタンブラ１０６とドライバピン１０８（ここでは不図示）のシャーラインが、外筒(不図示)と内筒１０４の境界と一致する。またディスクタンブラ１１０はダミーキー３２によって解錠状態が保持されているため、内筒１０４は外筒１０２に対して回転可能となる。
【００５６】
この状態から、図７（ｂ）に示すように、更にコンスキー４０を付勢手段３８の付勢力に抗して第２シリンダー錠１０Ｂ側に押し込むと、ダミーキー３２が第２シリンダー錠１０Ｂ側に移動する。ダミーキー３２は、第１の位置Ｆ１（同図（ａ）（ｃ）参照）で第１連結部材２４に保持固定されているため、ダミーキー３２の移動に伴い、第１連結部材２４もその分、第２シリンダー錠１０Ｂ側に移動する。これにより第１連結部材２４と第２連結部材２８の境界線Ｂが図７（ａ）の状態からカム３０のＸ方向の中心線Ｃに向かって（ここでは、一例として中心線Ｃを超えて）第２シリンダー錠１０Ｂ方向に移動し、第１連結部材２４がカム３０と係合する。
【００５７】
これにより、第１シリンダー錠１０Ａではその内筒１０４の回転が、これと係合する第１連結部材２４を介してカム３０に伝達され、カム３０が所定方向に回転する。内筒１０４の回転方向に応じて、カム３０の駆動部３０ｂが所定方向（図７（ｃ）では上方向または下方向）に移動し、これにより不図示の閂を移動させてシリンダー錠１０が設けられた扉体等の施解錠が可能となる。
【００５８】
なお第１実施形態では、コンス機能が作動中の場合、第１シリンダー錠１０Ａのみがコンスキー４０を有効に受付ける。つまり、第２シリンダー錠１０Ｂはダミーキーを有しないため、コンスキー４０を挿入してもディスクタンブラ１３０に到達せず、これを解錠状態にできない。このため、コンスキー４０では内筒１２４を回転させることはできず、カム３０も回転させることはできない。
【００５９】
＜コンストラクション機能（コンス機能）の解除状態＞
コンス機能は第１シリンダー錠１０Ａに子鍵４２を挿入することによって解除される。図８は、第１シリンダー錠１０Ａでコンス機能を解除する様子を示す図であり、図８（ａ）が、図４の断面を左前方からみた断面斜視図であり、図８（ｂ）（ｃ）が図６（ａ）（ｂ）に相当する断面図である。
【００６０】
図８に示すように、コンス機能の作動中（図７）に、第１シリンダー錠１０Ａの鍵穴２０にコンスキー４０よりも長さＬ１分長い子鍵４２を挿入すると、ダミーキー３２が第２シリンダー錠１０Ｂ方向に押し出され、第１連結部材２４に保持された状態でダミーキー保持部３４内を摺動する。つまり、ダミーキー３２は子鍵４２によって第２シリンダー錠１０Ｂ側に押し出されることで、第１固定孔３２１に浅く係合していた固定ピン３６がばねの付勢力に抗して内筒１０４の半径方向の外側に押し戻され、第１連結部材２４とダミーキー３２の固定が解除されるため、ダミーキー３２が摺動する。
【００６１】
そして、ダミーキー３２は第２固定孔３２２が固定ピン３６と一致する位置まで（ダミーキー３２が、第１連結部材２４の内部、および第２連結部材２８の円筒形の空間内に完全に格納さる位置まで）摺動すると、固定ピン３６がばねの付勢力で内筒１０４の中心方向に押され、第２固定孔３２２に固定ピン３６の円柱部分が嵌合してダミーキー３２が第１連結部材２４に固定される。このようにしてダミーキー３２は、第１連結部材２４の内部、および第２連結部材２８の円筒形の空間内に完全に格納された状態で、第２の位置Ｆ２で第１連結部材２４に保持固定される。その後は、ダミーキー３２は、第１連結部材２４および第２連結部材２８に格納されたまま、これらと一体的に移動する。つまり、コンス機能が解除された後は、第１連結部材２４および第２連結部材２８内のダミーキー３２の格納が維持される。つまり、コンス機能の解除によってダミーキー３２が外部に排出されることがないため、ダミーキー３２とコンスキー４０を組み合わせることによる子鍵４２の形状の推測を回避でき、防犯性を高めることができる。
【００６２】
また、第１連結部材２４および第２連結部材２８の内部に格納されたダミーキー３２は、これらの軸としても機能するため、これらの移動の際のブレ（がたつき）を防止することも可能となる。
【００６３】
コンス機能を解除すると、子鍵４２によって、第１シリンダー錠１０Ａの内筒１０４の回転が第１連結部材２４を介してカム３０に伝達可能となり、第２シリンダー錠１０Ｂの内筒１２４の回転が第２連結部材２８を介してカム３０に伝達可能となる。
【００６４】
≪子鍵による第１シリンダー錠の施解錠≫
図８を引き続き参照して、コンス機能解除後の、子鍵４２による第１シリンダー錠１０Ａの施解錠の動作を説明する。
【００６５】
まず、図８（ａ）に示すように、コンス機能解除直後の状態では、ダミーキー３２は第１連結部材２４に完全に格納されているが、第１連結部材２４と第２連結部材２８の境界線Ｂは、コンス機能の作動中の施錠状態の場合と変化していない。つまりこの状態は、第２連結部材２８が付勢手段３８によって第１シリンダー錠１０Ａ側に付勢され、第２連結部材２８がカム３０と係合した状態となっている。従ってこの状態から子鍵４２を付勢手段３８の付勢力に抗してさらに第２シリンダー錠１０Ｂ方向に押し込むと（子鍵４２の所定の差し込み位置まで差し込むと）、ダミーキー３２の移動に伴い、これを保持固定する第１連結部材２４もその分第２シリンダー錠１０Ｂ側に移動する。これにより図７に示したように境界線Ｂがカム３０の中心線Ｃに向かって（例えば、中心線Ｃを超えて）第２シリンダー錠１０Ｂ方向に移動し、第１連結部材２４がカム３０と係合する。
【００６６】
そして、子鍵４２の溝形状によって、第１シリンダー錠１０Ａのピンタンブラ１０６とドライバピン１０８のシャーラインが、外筒（不図示）と内筒１０４の境界と一致する。またディスクタンブラ１１０も内筒１０４の中に退避して、内筒１０４は外筒（ここでは不図示）に対して回転可能となる。
【００６７】
これにより、第１シリンダー錠１０Ａではその内筒１０４の回転が、これと係合する第１連結部材２４を介してカム３０に伝達され、カム３０が所定方向に回転する。内筒１０４の回転方向に応じて、カム３０の駆動部３０ｂが所定方向（図８（ｃ）では上方向または下方向）に移動し、これにより不図示の閂を移動させてシリンダー錠１０が設けられた扉体等の施解錠が可能となる。
【００６８】
≪子鍵による第２シリンダー錠の施解錠≫
図９を参照して、コンス機能解除後の、子鍵４２による第２シリンダー錠１０Ｂの施解錠の動作を説明する。図９（ａ）〜（ｃ）はそれぞれ、第２シリンダー錠１０Ｂに子鍵４２を挿入した状態を示す、図８（ａ）〜（ｃ）に相当する断面図である。
【００６９】
まず、図９（ａ）に示すように、コンス機能解除直後の状態では、ダミーキー３２は第１連結部材２４に完全に格納された状態で固定されているが、第２連結部材２８は、付勢手段３８によって第１シリンダー錠１０Ａの方向に付勢されているので、第１連結部材２４と第２連結部材２８の境界線Ｂは、第１シリンダー錠１０Ａ側に移動（ここでは一例として、カム３０の中心線Ｃを超えて第１シリンダー錠１０Ａ側に移動）しており、第２連結部材２８がカム３０と係合した状態となっている。従ってこの状態から第２シリンダー錠１０Ｂに子鍵４２を差し込むと、子鍵４２の溝形状によって、第２シリンダー錠１０Ｂのピンタンブラとドライバピンのシャーライン（いずれも不図示）が、外筒（不図示）と内筒１２４の境界と一致する。またディスクタンブラ（不図示）も内筒１２４の中に退避して、内筒１２４は外筒に対して回転可能となる。
【００７０】
これにより、第２シリンダー錠１０Ｂではその内筒１２４の回転が、これと係合する第２連結部材２８を介してカム３０に伝達され、カム３０が所定方向に回転する。内筒１２４の回転方向に応じて、カム３０の駆動部３０ｂが所定方向（図９（ｃ）では上方向または下方向）に移動し、これにより不図示の閂を移動させてシリンダー錠１０が設けられた扉体等の施解錠が可能となる。
【００７１】
このように本実施形態では、コンス機能を解除した場合であっても、ダミーキー３２が外部に排出されることがないため、ダミーキー３２とコンスキー４０を組み合わせることによる子鍵４２の形状の推測を回避でき、防犯性を高めることができる。
【００７２】
また、第１連結部材２４および第２連結部材２８の内部に格納されたダミーキー３２は、これらの軸としても機能するため、これらの移動の際のブレ（がたつき）を防止することも可能となる。
【００７３】
また、ダミーキー３２の外部への排出が不要となるので、室外側と室内側とにシリンダー錠を備える錠（２つのシリンダー錠の内奥同志を対向配置した錠）の場合にも、コンストラクション機能を備えることが可能となる。
【００７４】
また、ダミーキー３２を抜き取る手間も不要となるため、特に集合住宅のように戸数が多い場合には、工数の削減が図れる。
【００７５】
また、第１シリンダー錠１０Ａおよび第２シリンダー錠１０Ｂは、ピンタンブラ方式とディスクタンブラ方式を併用した構成であるので、ピッキングが困難となる上、キー（コンスキー４０、子鍵４２）の複製がしにくく、これによっても防犯性を高めることができる。
【００７６】
［第２実施形態］
次に、図１０から図１５を参照して本発明の第２実施形態のシリンダー錠５０について説明する。なお、第１実施形態と同一構成要素は同一符号で示し、その説明は省略する。
【００７７】
＜全体構成＞
最初に、図１０および図１１を用いて、第２実施形態のシリンダー錠５０の全体構成について説明する。なお、図１０は、シリンダー錠５０を前方上側から見た外観斜視図であり、図１０（ａ）が全体図であり、図１０（ｂ）が要部の拡大図であり、図１０（ｃ）が第１連結部材５２および第２連結部材５４の外観斜視図である。また、図１１は、シリンダー錠５０の一部を分解して示す分解斜視図である。
【００７８】
第２実施形態に係るシリンダー錠５０も、第１実施形態と同様に２つのシリンダー錠（第１シリンダー錠５０Ａ、第２シリンダー錠５０Ｂ）を、その長軸方向（Ｘ方向）に直列に配列したものである。また、第１シリンダー錠５０Ａおよび第２シリンダー錠５０Ｂはそれぞれ、第１実施形態と同様にピンタンブラ方式とディスクタンブラ方式を組み合わせたものである。
【００７９】
第２実施形態では、第１シリンダー錠５０Ａの第１連結部材５２および第２連結部材５４の構成が第１実施形態とは異なっている。また、第１シリンダー錠５０Ａと第２シリンダー錠５０Ｂは同一の構成要素（共通の部品）からなり、その点も第１実施形態と異なっている。
【００８０】
すなわち、図１０（ｃ）に示すように、第１連結部材５２は単体でその内部（ダミーキー保持部６４）にダミーキー（第１ダミーキー）３２が格納できるように、第１実施形態の第１連結部材２４と比べて長軸方向の長さが長いものとなっている。
【００８１】
また、第２連結部材５４も、その内側に、第２シリンダー錠５０Ｂの長軸方向に沿って摺動可能となるように他のダミーキー（第２ダミーキー６２）を保持するダミーキー保持部６８を備える。第２ダミーキー６２は、第１ダミーキー３２（第１実施形態のダミーキー３２）と同様の構成を有している。すなわち、第２ダミーキー６２は、第２シリンダー錠５０Ｂのディスクタンブラ１３０を解錠位置に保持可能なキーの形状を表面に備えた略矩形状の板状片であり、その長手方向が第２シリンダー錠５０Ｂの長軸方向に沿うように第２連結部材５４のダミーキー保持部６８に挿通され、保持される。
【００８２】
また、第２ダミーキー６２を保持する第２連結部材５４は、第１連結部材５２と同様に、第２ダミーキー６２を単体で完全に格納可能なように、第１実施形態の第２連結部材２８より長軸方向の長さが長いものとなっている。そして、第２ダミーキー６２は第１実施形態のダミーキー３２と同様に内筒１２４の長手方向の２か所で第２連結部材５４に保持、固定されるが、その詳細については後述する。
【００８３】
第１連結部材５２と第２連結部材５４はいずれも同一の形状で、その長さが第１実施形態の場合より長いことを除き、内筒１０４、１２４やカム３０との係合関係は、第１実施形態と同様である。
【００８４】
つまり、第１シリンダー錠５０Ａと第２シリンダー錠５０Ｂは互いの第２の端部Ｔ２（内奥部）同志を対向させて直列に配置され、それぞれの内筒１０４、１２４の鍔状部１０４ｃ、１２４ｃは、カム３０の両面の第２内周面３０ｄに内包されるが、互いに固定はされていない。つまりシリンダー錠５０の長軸方向においてはそれぞれの内筒１０４、１２４とカム３０の位置は固定されている（移動しない）が、シリンダー錠１０の回転軸を中心とした回転は、それぞれに自在となっている（図４、図１０（ｂ）参照）。
【００８５】
また、内筒１０４は第１連結部材５２と係合し、内筒１２４は第２連結部材５４と係合して、第１連結部材５２と第２連結部材５４は対向面が当接している。２つの内筒１０４、１２４は、これらの間で、第１連結部材２４と第２連結部材２８とが一体的に長軸方向（Ｘ方向）に所定の距離の摺動が可能となるように離間して固定され、第１連結部材５２は内筒１０４との係合を維持し、第２連結部材５４は内筒１２４との係合を維持した状態で、これらの境界面Ｂは、内筒１０４、１２４およびカム３０に対して長軸方向の移動が可能となっている。また、第１連結部材５２と第２連結部材５４は、付勢手段（例えば、図１０、図１１では不図示のスプリングコイルなど）によって長軸方向の一方側に付勢されており、この付勢力によって、またこの付勢力に抗する力によって移動が可能となる。
【００８６】
これにより、第１連結部材５２と第２連結部材５４の境界面Ｂがカム３０と内筒１０４、１２４に対して移動し、第１連結部材５２がカム３０と係合した場合には、内筒１０４の回転が第１連結部材５２を介してカム３０に伝達可能となり、第２連結部材５４がカム３０と係合した場合には、内筒１２４の回転が第２連結部材５４を介してカム３０に伝達可能となる。
【００８７】
このように、第１実施形態ではダミーキー３２は第１シリンダー錠１０Ａのみに設けられていたのに対し、第２実施形態では、第１シリンダー錠５０Ａに第１ダミーキー３２が設けられることに加え、第２シリンダー錠５０Ｂにも第２ダミーキー６２が設けられ、室内側及び室外側の両方においてコンス機能を作動させることができる。
【００８８】
以下、図１２から図１５を参照して、本実施形態のシリンダー錠５０の動作について説明する。なお、使用するキー（コンスキー４０および子鍵４２）は、第１実施形態と同様である。
【００８９】
＜コンストラクション機能（コンス機能）の作動状態＞
≪施錠状態≫
図１２は、コンス機能の作動中で且つ施錠状態の、シリンダー錠５０の要部を示す図であり、図１２（ａ）（ｂ）がそれぞれ図６（ａ）（ｂ）に相当する断面図である。また、図１２（ｃ）は、この場合のシリンダー錠５０の要部を模式的に示した図４に相当する断面概要図である。ここでは、図１２の左側を室外側とし、図１２右側を室内側としている。
【００９０】
コンス機能の作動中では、第１ダミーキー３２が第１シリンダー錠５０Ａのディスクタンブラ１１０を解錠位置に保持した状態で、第１連結部材５２に保持される。また、第２ダミーキー６２が第２シリンダー錠５０Ｂのディスクタンブラ１３０を解錠位置に保持した状態で、第２連結部材５４に保持される。つまり、第１シリンダー錠５０Ａ、第２シリンダー錠５０Ｂの少なくとも一方がこの状態にある場合をコンス機能の作動状態、という。
【００９１】
第２実施形態において、第１シリンダー錠５０Ａと第２シリンダー錠５０Ｂのコンス機能は同じであり、第１実施形態では第１シリンダー錠１０Ａのコンス機能について説明したので、以下では主に、第２シリンダー錠５０Ｂのコンス機能について説明する。
【００９２】
第２ダミーキー６２は、長手方向に円形状の第１固定孔６２１と第２固定孔６２２を有しており、第１固定孔６２１は第２固定孔６２２よりその直径が小さく、ダミーキー６２の厚み方向の深さも浅くなっている。第１固定孔６２１と第２固定孔６２２には、固定ピン６６が係合する。第２連結部材５４のダミーキー保持部６８に挿通されたダミーキー６２は、固定ピンが第１固定孔６２１、第２固定孔６２２のいずれとも係合していない場合は、第２連結部材５４に対して摺動可能であるが、第１固定孔６２１に固定ピンが係合した場合は、第２連結部材５４に対して第１の位置Ｆ１で固定されて第２連結部材５４とともに内筒１２４に対して摺動可能となり、第２固定孔６２２に固定ピンが係合した場合は、第２連結部材５４に対して第２の位置Ｆ２で固定されて第２連結部材５４とともに内筒１２４に対して摺動可能となる。
【００９３】
コンス機能作動中の第２ダミーキー６２は、第２連結部材５４に保持されるとともに固定ピン６６によって第２連結部材５４と固定される。この場合第２ダミーキー６２は、第１固定孔６２１に固定ピン６６の曲面部分が浅く嵌合することで、シリンダー錠５０の長軸方向に沿う第１の位置Ｆ１において第２連結部材５４と固定されている。
【００９４】
第２実施形態では、第１シリンダー錠５０Ａの内筒１０４と係合する第１連結部材５２は、同図（ａ）（ｂ）に示すように、付勢手段（例えばスプリングコイルなど）８８によって、第２連結部材５４側に付勢されている。これにより、第１連結部材５２と第２連結部材５４の境界面Ｂは、（ここでは一例としてカム３０の中心線Ｃを超えて）第２シリンダー錠５０Ｂ側に位置しており、コンス機能が作動中の施錠状態では、常に、第１連結部材５２がカム３０と係合した状態となっている。このように、第１連結部材５２と第２連結部材５４の待機位置を決める付勢手段による付勢方向は、本実施形態のように第１シリンダー錠５０Ａから第２シリンダー錠５０Ｂに向かう方向であってもよいし、第１実施形態のように第２シリンダー錠１０Ｂから第１シリンダー錠１０Ａに向かう方向であってもよい。
【００９５】
≪コンスキーによる施解錠≫
次に図１３を参照して、コンス機能の作動中における、コンスキー４０による施解錠の動作を説明する。図１３（ａ）は、コンスキー４０を第２シリンダー錠５０Ｂの鍵穴２２に挿入し、更に第１シリンダー錠５０Ａ側に押し込んだ状態（第２の状態）を示す、図８（ａ）に相当する断面図であり、図１３（ｂ）（ｃ）（ｄ）は、コンスキー４０を鍵穴に挿入した第２の状態を示す、図１２（ａ）（ｂ）（ｃ）に相当する断面図である。また、図１３（ｅ）は、第１シリンダー錠５０Ａ側にコンスキーを挿入した場合の、図１３（ｄ）に相当する断面図である。
【００９６】
第２シリンダー錠５０Ｂにコンスキー４０が挿入された場合には、第２シリンダー錠５０Ｂの内筒１２４の回転が第２ダミーキー６２と第２連結部材５４とを介して、カム３０に伝達可能となる。
【００９７】
まず、コンスキー４０を第２シリンダー錠５０Ｂの鍵穴２２に挿入した第１の状態では、コンスキー４０の先端が、第２ダミーキー６２と当接する。この状態では、第１連結部材５２と第２連結部材５４の境界線Ｂは、付勢手段８８の付勢力によって図１３（ａ）（ｂ）に示す位置よりも、第２シリンダー錠５０Ｂ側に位置している。そして、コンスキー４０の溝形状によって、第２シリンダー錠５０Ｂのピンタンブラとドライバピンのシャーライン（いずれも不図示）が、外筒（不図示）と内筒１２４の境界と一致する。またディスクタンブラ１３０は第２ダミーキー６２によって解錠状態が保持されているため、内筒１２４は外筒に対して回転可能となる。
【００９８】
この状態から、図１３（ａ）（ｂ）に示すように更にコンスキー４０を付勢手段８８の付勢力に抗して第１シリンダー錠１０Ａ側に押し込むと、第２ダミーキー６２が第１シリンダー錠５０Ａ側に移動する。第２ダミーキー６２は、第１の位置Ｆ１で第２連結部材５４に保持固定されているため、第２ダミーキー６２の移動に伴い、第２連結部材５４もその分第１シリンダー錠５０Ａ側に移動する。これにより第１連結部材５２と第２連結部材５４の境界線Ｂが（例えば、カム３０の中心線Ｃを超えて）第１シリンダー錠５０Ａ方向に移動し、第２連結部材５４がカム３０と係合する。
【００９９】
これにより、第２シリンダー錠５０Ｂではその内筒１２４の回転が、これと係合する第２連結部材５４を介してカム３０に伝達され、カム３０が所定方向に回転する。内筒１２４の回転方向に応じて、カム３０の駆動部３０ｂが所定方向（図１３（ｃ）では上方向または下方向）に移動し、これにより不図示の閂を移動させてシリンダー錠５０が設けられた扉体等の施解錠が可能となる。
【０１００】
また、図１３（ｅ）に示すように、コンス機能が作動中の施錠状態では、第１連結部材５２と第２連結部材５４の境界面Ｂは付勢手段８８の付勢力によって待機位置（カム３０の中心線Ｃより第２シリンダー錠５０Ｂ側）にあり、第１連結部材５２がカム３０と係合しているので、この状態で第１シリンダー錠５０Ａにコンスキー４０を挿入した場合には、内筒１０４の回転が第１連結部材５２を介して、カム３０に伝達する。
【０１０１】
このように、第１実施形態では、コンス機能が作動中の場合、第１シリンダー錠５０Ａ、第２シリンダー錠５０Ｂのいずれもがコンスキー４０を有効に受付ける。
【０１０２】
＜コンストラクション機能（コンス機能）の解除状態＞
コンス機能は第１シリンダー錠５０Ａおよび第２シリンダー錠５０Ｂにそれぞれ子鍵４２を挿入することによって解除される。図１４（ａ）〜（ｄ）はそれぞれ、第２シリンダー錠５０Ｂでコンス機能を解除する様子を示す、図１３（ａ）〜（ｄ）に相当する断面図である。なお、図１４（ａ）〜（ｃ）では、説明の便宜上、第１シリンダー錠５０Ａにおいてコンス機能を解除する様子も合わせて示しているが、第１シリンダー錠５０Ａと第２シリンダー錠５０Ｂの解除は同時に行われることを示すものではなく、それぞれに子鍵４２を挿入することによって個別に解除されるものである。
【０１０３】
図１４に示すように、コンス機能の作動中に、第２シリンダー錠５０Ｂの鍵穴２２にコンスキー４０よりも長さＬ１分長い子鍵４２を挿入すると、第２ダミーキー６２が第２シリンダー錠５０Ｂ方向に押し出され、第２連結部材５４に保持された状態でダミーキー保持部６８内を摺動する。つまり、第２ダミーキー６２は子鍵４２によって第１シリンダー錠５０Ａ側に押し出されることで、第１固定孔６２１に浅く係合していた固定ピン６６がばねの付勢力に抗して内筒１２４の半径方向の外側に押し戻され、第２連結部材５４と第２ダミーキー６２の固定が解除されるため、第２ダミーキー６２が摺動する。
【０１０４】
そして、第２ダミーキー６２は第２固定孔６２２が固定ピン６６と一致する位置まで（第２ダミーキー６２が、第２連結部材５４の内部に完全に格納さる位置まで）摺動すると、固定ピン６６がばねの付勢力で内筒１２４の中心方向に押され、第２固定孔６２２に固定ピン６６の円柱部分が嵌合して第２ダミーキー６２が第２連結部材５４に固定される。このようにして第２ダミーキー６２は、第２連結部材５４の内部に完全に格納された状態で、第２の位置Ｆ２で第２連結部材５４に保持固定される。その後は、第２ダミーキー６２は、第２連結部材５４に格納されたまま、これらと一体的に移動する。つまり、コンス機能が解除された後は、第２連結部材５４内の第２ダミーキー６２の格納が維持される。
【０１０５】
図１４に合わせて示すように、第１シリンダー錠５０Ａにおけるコンス機能の解除動作も同様である。すなわち、第１シリンダー錠５０Ａの鍵穴２０に子鍵４２を挿入した場合は、第１ダミーキー３２は、第１連結部材５２の内部に完全に格納された状態で、第２固定孔３２２に固定ピン３６が嵌合することで第２の位置Ｆ２で第１連結部材５２に保持固定される。その後は、第１ダミーキー３２は、第１連結部材５２に格納されたまま、これらと一体的に移動する。つまり、コンス機能が解除された後は、第１連結部材５２内の第１ダミーキー３２の格納が維持される。
【０１０６】
このように、第２実施形態では、コンス状態の解除によって、第１ダミーキー３２が第１連結部材５２内に完全に格納され、第２ダミーキー６２が第２連結部材５４内に完全に格納される。そしてコンス機能の解除によっては、第１ダミーキー３２および第２ダミーキー６２が外部に排出されることがないため、第１ダミーキー３２、第２ダミーキー６２とコンスキー４０を組み合わせることによる子鍵４２の形状の推測を回避でき、防犯性を高めることができる。
【０１０７】
また、第１連結部材５２および第２連結部材５４の内部にそれぞれ格納された第１ダミーキー３２、第２ダミーキー６２は、これらの軸としても機能するため、これらの移動の際のブレ（がたつき）を防止することも可能となる。
【０１０８】
コンス機能を解除すると、子鍵４２によって、第１シリンダー錠５０Ａの内筒１０４の回転が第１連結部材５２を介してカム３０に伝達可能となり、第２シリンダー錠５０Ｂの内筒１２４の回転が第２連結部材５４を介してカム３０に伝達可能となる。
【０１０９】
≪子鍵による第２シリンダー錠の施解錠≫
図１４を引き続き参照して、コンス機能解除後の、子鍵４２による第２シリンダー錠５０Ｂの施解錠の動作を説明する。
【０１１０】
コンス機能解除直後の状態では、第２ダミーキー６２は第２連結部材５４に完全に格納されているが、第１連結部材５２と第２連結部材５４の境界線Ｂは、コンス機能の作動中の施錠状態の場合と変化しておらず、境界線Ｂとしては図１２に示す位置にあり、第１連結部材５４が付勢手段８８によって第２シリンダー錠５０Ｂ側に付勢され、第１連結部材５４がカム３０と係合した状態となっている。
【０１１１】
つまり、図１４（ａ）では子鍵４２によってコンス機能を解除するとともに、さらに子鍵４２を付勢手段８８の付勢力に抗して第１シリンダー錠１０Ｂ方向に押し込んだ（子鍵４２の所定の差し込み位置まで差し込んだ）状態を示している。
【０１１２】
このように子鍵４２を所定位置まで差し込むと、第２ダミーキー６２の移動に伴い、これを保持固定する第２連結部材５４もその分第１シリンダー錠５０Ａ側に移動する。これにより境界線Ｂが例えば、カム３０の中心線Ｃを超えて第１シリンダー錠５０Ａ方向に移動し、第２連結部材５４がカム３０と係合する。
【０１１３】
そして、子鍵４２の溝形状によって、第２シリンダー錠５０Ｂのピンタンブラとドライバピンのシャーラインが、外筒と内筒１２４の境界と一致する。またディスクタンブラ１３０も内筒１２４の中に退避して、内筒１２４は外筒１２２に対して回転可能となる。
【０１１４】
これにより、第２シリンダー錠５０Ｂではその内筒１２４の回転が、これと係合する第２連結部材５４を介してカム３０に伝達され、カム３０が所定方向に回転し、カム３０の駆動部３０ｂが所定方向（図１４（ｂ）では右方向または左方向）に移動し、これにより不図示の閂を移動させてシリンダー錠１０が設けられた扉体等の施解錠が可能となる。
【０１１５】
≪子鍵による第１シリンダー錠の施解錠≫
図１５を参照して、コンス機能解除後の、子鍵４２による第１シリンダー錠５０Ａの施解錠の動作を説明する。図１５（ａ）〜（ｄ）はそれぞれ、第２シリンダー錠５０Ｂでコンス機能を解除する様子を示す、図１４（ａ）〜（ｄ）に相当する断面図である。
【０１１６】
まず、図１５（ａ）に示すように、コンス機能解除直後の状態では、第１ダミーキー３２は第１連結部材５２に完全に格納された状態で固定されているが、第１連結部材５２は、付勢手段８８によって第２シリンダー錠５０Ｂの方向に付勢されているので、第１連結部材５２と第２連結部材５４の境界線Ｂは、例えば、カム３０の中心線Ｃを超えて第２シリンダー錠５０Ｂ側に移動しており、第１連結部材５２がカム３０と係合した状態となっている。従ってこの状態から第１シリンダー錠５０Ａに子鍵４２を差し込むと、子鍵４２の溝形状によって、第１シリンダー錠５０Ａのピンタンブラとドライバピンのシャーラインが、外筒と内筒１０４の境界と一致し、ディスクタンブラ１１０も内筒１０４の中に退避して、内筒１０４は外筒に対して回転可能となる。
【０１１７】
これにより、第１シリンダー錠５０Ａではその内筒１０４の回転が、これと係合する第１連結部材５２を介してカム３０に伝達され、カム３０が所定方向に回転する。内筒１０４の回転方向に応じて、カム３０の駆動部３０ｂが所定方向（図１５（ｃ）では上方向または下方向）に移動し、これにより不図示の閂を移動させてシリンダー錠５０が設けられた扉体等の施解錠が可能となる。
【０１１８】
このように本実施形態では、コンス機能を解除した場合であっても、第１ダミーキー３２および第２ダミーキー６２が外部に排出されることがないため、第１ダミーキー３２、第２ダミーキー６２とコンスキー４０を組み合わせることによる子鍵４２の形状の推測を回避でき、防犯性を高めることができる。
【０１１９】
また、第１連結部材５２および第２連結部材５４の内部にそれぞれ格納された第１ダミーキー３２および第２ダミーキー６２は、これらの軸としても機能するため、これらの移動の際のブレ（がたつき）を防止することも可能となる。
【０１２０】
また、ダミーキーの外部への排出が不要となるので、室外側と室内側とにシリンダー錠を備える錠（２つのシリンダー錠の内奥同志を対向配置した錠）の場合にも、コンストラクション機能を備えることが可能となる。
【０１２１】
また、第１ダミーキー３２、第２ダミーキー６２を抜き取る手間も不要となるため、特に集合住宅のように戸数が多い場合には、工数の削減が図れる。
【０１２２】
また、第１シリンダー錠５０Ａと第２シリンダー錠５０Ｂのそれぞれにコンス機能を備える場合であっても、これらの部品を共通化できるので、部品点数の削減が可能となる。また、第１シリンダー錠５０Ａと第２シリンダー錠５０Ｂの組み立て時に部品の取り違えが起こらないため、部品取り違え等による製造工数の不要な増加を回避できる。
【０１２３】
また、第１シリンダー錠１０Ａおよび第２シリンダー錠１０Ｂは、ピンタンブラ方式とディスクタンブラ方式を併用した構成であるので、ピッキングが困難となる上、キー（コンスキー４０、子鍵４２）の複製がしにくく、これによっても防犯性を高めることができる。
【０１２４】
なお、本実施形態では、第１連結部材２４、５２と第２連結部材２８、５４のと境界線Ｂがカム３０の中心線Ｃを超えて移動する場合を例に説明した。すなわち、境界線Ｂがカム３０の中心線Ｃを超えて、第１シリンダー錠１０Ａ，５０Ａ側に位置する場合に、第２連結部材２８、５４がカム３０と係合し、境界線Ｂがカム３０の中心線Ｃを超えて、第２シリンダー錠１０Ｂ，５０Ｂ側に位置する場合に、第１連結部材２４、５２がカム３０と係合する場合を例に説明した。しかし空間Ｓ内を移動する境界線Ｂはカム３０の中心線Ｃを超えなくてもよく、境界線Ｂの移動によって、カム３０と係合する第１連結部材２４，５２と第２連結部材２８、５４とが切り替えられる構成であればよい。
【産業上の利用可能性】
【０１２５】
本発明に係るシリンダ錠は、住居、店舗あるいは事務所等の錠前として適用することができる。
【符号の説明】
【０１２６】
１０、５０    シリンダー錠
１０Ａ、５０Ａ    第１シリンダー錠
１０Ｂ、５０Ｂ    第２シリンダー錠
１０２、１２２  外筒
１０４、１２４  内筒
３２    ダミーキー、第１ダミーキー
２０、２２  鍵穴
２４、５２    第１連結部材
２８、５４    第２連結部材
３０    カム
６２    第２ダミーキー
４０    コンスキー
４２    子鍵
【図１】
2014227654.tif 000003
【図２】
2014227654.tif 000004
【図３】
2014227654.tif 000005
【図４】
2014227654.tif 000006
【図５】
2014227654.tif 000007
【図６】
2014227654.tif 000008
【図７】
2014227654.tif 000009
【図８】
2014227654.tif 000010
【図９】
2014227654.tif 000011
【図１０】
2014227654.tif 000012
【図１１】
2014227654.tif 000013
【図１２】
2014227654.tif 000014
【図１３】
2014227654.tif 000015
【図１４】
2014227654.tif 000016
【図１５】
2014227654.tif 000017